【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
映像情報を復号する方法であって、
復号されるべき現在のピクチャに関する層間基準ピクチャに関連する映像情報を格納することと、
前記層間基準ピクチャのスケーリングされたバージョンのある領域を定義するように構成される複数の層間基準オフセットに関連する情報を受信することであって、前記領域は、前記現在のピクチャの予測を生成するために使用され、及び、前記複数の層間基準オフセットは、前記現在のピクチャに関して各々指定される左オフセットと、上オフセットと、右オフセットと、下オフセットと、を含むことと、
条件を決定することによって、前記層間基準ピクチャを再サンプリングするための再サンプリングプロセスを呼び出すべきかどうかを決定することであって、前記条件は、
前記現在のピクチャの幅及び層間基準ピクチャの幅が等しいかどうかと、
前記現在のピクチャの高さ及び前記層間基準ピクチャの高さが等しいかどうかと、
前記左オフセット、前記上オフセット、前記右オフセット、及び前記下オフセットは各々０に等しいかどうかと、
前記現在のピクチャのルマコンポーネントのビット深度及び前記層間基準ピクチャのルマコンポーネントのビット深度が等しいかどうかと、
前記現在のピクチャのクロマコンポーネントのビット深度及び前記層間基準ピクチャのクロマコンポーネントのビット深度が等しいかどうかと、
前記現在のピクチャのクロマフォーマット及び前記層間基準ピクチャのクロマフォーマットが等しいかどうかと、を備えることと、
前記条件のうちの少なくとも１つが真でないと決定することに応答して、前記層間基準ピクチャを再サンプリングするための再サンプリングプロセスを呼び出すことと、を備える、方法。
【請求項２】
映像情報を符号化する方法であって、
符号化されるべき現在のピクチャに関する層間基準ピクチャに関連する映像情報を格納することと、
前記層間基準ピクチャのスケーリングされたバージョンのある領域を定義するように構成される複数の層間基準オフセットに関連する情報を受信することであって、前記領域は、前記現在のピクチャの予測を生成するために使用され、及び、前記複数の層間基準オフセットは、前記現在のピクチャに関して各々指定される左オフセットと、上オフセットと、右オフセットと、下オフセットと、を含むことと、
条件を決定することによって、前記層間基準ピクチャを再サンプリングするための再サンプリングプロセスを呼び出すべきかどうかを決定することであって、前記条件は、
前記現在のピクチャの幅及び層間基準ピクチャの幅が等しいかどうかと、
前記現在のピクチャの高さ及び前記層間基準ピクチャの高さが等しいかどうかと、
前記左オフセット、前記上オフセット、前記右オフセット、及び前記下オフセットは各々０に等しいかどうかと、
前記現在のピクチャのルマコンポーネントのビット深度及び前記層間基準ピクチャのルマコンポーネントのビット深度が等しいかどうかと、
前記現在のピクチャのクロマコンポーネントのビット深度及び前記層間基準ピクチャのクロマコンポーネントのビット深度が等しいかどうかと、
前記現在のピクチャのクロマフォーマット及び前記層間基準ピクチャのクロマフォーマットが等しいかどうかと、を備えることと、
前記条件のうちの少なくとも１つが真でないと決定することに応答して、前記層間基準ピクチャを再サンプリングするための再サンプリングプロセスを呼び出すことと、を備える、方法。
【請求項３】
前記左オフセットは、前記層間基準ピクチャ又は前記層間基準ピクチャのスケーリングされたバージョンの左上ルマサンプルと、前記現在のピクチャの左上ルマサンプルとの間の水平オフセットであり、
前記上オフセットは、前記層間基準ピクチャ又は前記層間基準ピクチャのスケーリングされたバージョンの前記左上ルマサンプルと、前記現在のピクチャの前記左上ルマサンプルとの間の垂直オフセットであり、
前記右オフセットは、前記層間基準ピクチャ又は前記層間基準ピクチャのスケーリングされたバージョンの右下ルマサンプルと、前記現在のピクチャの右下ルマサンプルとの間の水平オフセットであり、及び
前記下オフセットは、前記層間基準ピクチャ又は前記層間基準ピクチャのスケーリングされたバージョンの前記右下ルマサンプルと、前記現在のピクチャの前記右下ルマサンプルとの間の垂直オフセットであり、
各オフセットは、ルマサンプルの単位で定義される請求項１又は請求項２に記載の方法。
【請求項４】
前記層間基準ピクチャを再サンプリングすべきかどうかを前記決定することは、前記複数の層間基準オフセット及び前記層間基準ピクチャのピクチャフォーマットに基づき、前記ピクチャフォーマットは、空間解像度、クロマフォーマット、又はビット深度のうちの１つ以上を含む請求項１又は請求項２に記載の方法。
【請求項５】
前記条件がすべて真であるときには前記層間基準ピクチャが再サンプリングされるべきでないと決定される請求項１又は請求項２に記載の方法。
【請求項６】
前記層間基準ピクチャを再サンプリングすることは、前記層間基準ピクチャをアップサンプリング、ダウンサンプリング、ビットシフト、クロッピング、又はパディングすることのうちの１つ以上を備える請求項１又は請求項２に記載の方法。
【請求項７】
前記再サンプリングされた層間基準ピクチャを前記現在のピクチャの基準ピクチャリストに加えることをさらに備える請求項１又は請求項２に記載の方法。
【請求項８】
前記層間基準ピクチャが再サンプリングされるべきではないと決定することに応答して、前記層間基準ピクチャを再サンプリングせずに前記層間基準ピクチャを前記現在のピクチャの基準ピクチャリストに加えることをさらに備える請求項１又は請求項２に記載の装置。
【請求項９】
非一時的なコンピュータによって読み取り可能な媒体であって、コンピュータハードウェアを備えるプロセッサで実行されたときに、前記プロセッサに、請求項１−８のうちのいずれかの方法を行わせる命令を備える、非一時的なコンピュータによって読み取り可能な媒体。
【請求項１０】
映像情報を復号するための装置であって、
復号されるべき現在のピクチャに関する層間基準ピクチャに関連する映像情報を格納するための手段と、
前記層間基準ピクチャのスケーリングされたバージョンのある領域を定義するように構成される複数の層間基準オフセットに関連する情報を受信するための手段であって、前記領域は、前記現在のピクチャの予測を生成するために使用され、及び、前記複数の層間基準オフセットは、前記現在のピクチャに関して各々指定される左オフセットと、上オフセットと、右オフセットと、下オフセットと、を含む手段と、
条件を決定することによって、前記層間基準ピクチャを再サンプリングするための再サンプリングプロセスを呼び出すべきかどうかを決定するための手段であって、前記条件は、
前記現在のピクチャの幅及び層間基準ピクチャの幅が等しいかどうかと、
前記現在のピクチャの高さ及び前記層間基準ピクチャの高さが等しいかどうかと、
前記左オフセット、前記上オフセット、前記右オフセット、及び前記下オフセットは各々０に等しいかどうかと、
前記現在のピクチャのルマコンポーネントのビット深度及び前記層間基準ピクチャのルマコンポーネントのビット深度が等しいかどうかと、
前記現在のピクチャのクロマコンポーネントのビット深度及び前記層間基準ピクチャのクロマコンポーネントのビット深度が等しいかどうかと、
前記現在のピクチャのクロマフォーマット及び前記層間基準ピクチャのクロマフォーマットが等しいかどうかと、を備え、前記条件のうちの少なくとも１つが真でないと決定することに応答して、前記層間基準ピクチャを再サンプリングするための再サンプリングプロセスを呼び出すように構成された前記手段と、を備える、装置。
【請求項１１】
映像情報を符号化するための装置であって、
符号化されるべき現在のピクチャに関する層間基準ピクチャに関連する映像情報を格納するための手段と、
前記層間基準ピクチャのスケーリングされたバージョンのある領域を定義するように構成される複数の層間基準オフセットに関連する情報を受信するための手段であって、前記領域は、前記現在のピクチャの予測を生成するために使用され、及び、前記複数の層間基準オフセットは、前記現在のピクチャに関して各々指定される左オフセットと、上オフセットと、右オフセットと、下オフセットと、を含む手段と、
条件を決定することによって、前記層間基準ピクチャを再サンプリングするための再サンプリングプロセスを呼び出すべきかどうかを決定するための手段であって、前記条件は、
前記現在のピクチャの幅及び層間基準ピクチャの幅が等しいかどうかと、
前記現在のピクチャの高さ及び前記層間基準ピクチャの高さが等しいかどうかと、
前記左オフセット、前記上オフセット、前記右オフセット、及び前記下オフセットは各々０に等しいかどうかと、
前記現在のピクチャのルマコンポーネントのビット深度及び前記層間基準ピクチャのルマコンポーネントのビット深度が等しいかどうかと、
前記現在のピクチャのクロマコンポーネントのビット深度及び前記層間基準ピクチャのクロマコンポーネントのビット深度が等しいかどうかと、
前記現在のピクチャのクロマフォーマット及び前記層間基準ピクチャのクロマフォーマットが等しいかどうかと、を備え、前記条件のうちの少なくとも１つが真でないと決定したことに応答して、前記層間基準ピクチャを再サンプリングするための再サンプリングプロセスを呼び出すように構成された前記手段と、を備える、装置。
【請求項１２】
前記再サンプリングされた層間基準ピクチャを前記現在のピクチャの基準ピクチャリストに加えるための手段をさらに備える請求項１０又は請求項１１に記載の装置。
【請求項１３】
前記層間基準ピクチャが再サンプリングされるべきではないと決定することに応答して、前記層間基準ピクチャを再サンプリングせずに前記層間基準ピクチャを前記現在のピクチャの基準ピクチャリストに加えるための手段をさらに備える請求項１０又は請求項１１に記載の装置。
【請求項１４】
映像データをキャプチャするように構成されたカメラをさらに備える、請求項１１に記載の装置。
【請求項１５】
復号された映像データを表示するように構成されたディスプレイをさらに備える、請求項１０に記載の装置。
【請求項１６】
前記装置は、デスクトップコンピュータ、ノートブックコンピュータ、ラップトップコンピュータ、タブレットコンピュータ、セットトップボックス、電話ハンドセット、スマートフォン、無線通信デバイス、スマートパッド、テレビ、カメラ、表示装置、デジタルメディアプレーヤー、ビデオゲームコンソール、又は映像ストリーミングデバイスのうちの１つ以上を備える請求項１０に記載の装置。